(57)【要約】      （修正有）【課題】ジャックとプラグとの挿抜によりコード接続が可能なイヤホンまたはヘッドホンに関し、ユーザーが比較的に強い力を掛けてコードのプラグを押しつけても、ジャックがハウジングの内部側に押し込まれてしまわないようにするイヤホンまたはヘッドホンを提供する。【解決手段】イヤホンまたはヘッドホンは、スピーカーユニットに音声信号を供給するコード７のプラグ１２を挿抜可能に接続するジャック１１が取り付けられたハウジング２を備える。ハウジング２は、ジャック１１をハウジング２の所定位置に取り付けるホルダー部材５と、ハウジング２の内部空間に配置され、ハウジング２の内壁部とジャック１１とに当接してジャック１１およびホルダー部材５を所定位置からハウジング２の内部側へ動かないように固定するストッパー部材２０と、を備える。【選択図】図３
2019205046.tif 000002
【特許請求の範囲】
【請求項１】
スピーカーユニットに音声信号を供給するコードのプラグを挿抜可能に接続するジャックが取り付けられたハウジングを備え、
該ハウジングが、該ジャックを該ハウジングの所定位置に取り付けるホルダー部材と、該ハウジングの内部空間に配置され、該ハウジングの内壁部と該ジャックとに当接して該ジャックおよび該ホルダー部材を該所定位置から該ハウジングの内部側へ動かないように固定するストッパー部材と、を備える、
イヤホンまたはヘッドホン。
【請求項２】
前記ホルダー部材が、前記ジャックを挿入して固定する貫通孔を規定し、該ジャックが、該ホルダー部材の該貫通孔の縁部に前記ハウジングの前記内部空間の側から係止するジャックフランジ部を有し、
前記ストッパー部材が、該ハウジングの前記内壁部に当接する第１当接部と、該ジャックフランジ部に当接する第２当接部と、を少なくとも有する、
請求項１に記載のイヤホンまたはヘッドホン。
【請求項３】
前記ホルダー部材が、前記ハウジングの前記所定位置に設けられる貫通孔の縁部に前記内部空間側から係止するホルダーフランジ部をさらに有し、
前記ストッパー部材が、該ホルダーフランジ部に当接する第３当接部をさらに有する、
請求項２に記載のイヤホンまたはヘッドホン。
【請求項４】
前記ストッパー部材が、少なくとも前記第１当接部と前記第２当接部と前記第３当接部とに囲まれるように規定される領域内に、前記ジャックから突出する端子、および、該端子並びに前記スピーカーユニットに接続するコード部材を配置する空間を規定する筐体を有する、
請求項３に記載のイヤホンまたはヘッドホン。
【請求項５】
前記ハウジングが、前記所定位置に設けられる前記貫通孔とは直交する方向から前記ストッパー部材を挿入可能な開口を有し、該開口を塞ぐように前記スピーカーユニットが取り付けられている、
請求項１から４のいずれかに記載のイヤホンまたはヘッドホン。
【請求項６】
少なくともその一端側に前記プラグが取り付けられた前記コードをさらに備える、請求項１から５のいずれかに記載のイヤホンまたはヘッドホン。
【発明の詳細な説明】
【技術分野】
【０００１】
本発明は、ユーザーの耳に装着されて音声再生するイヤホンまたはヘッドホンに関して、特に、ジャックとプラグとの挿抜によりコード接続が可能なイヤホンまたはヘッドホンに関する。
【背景技術】
【０００２】
イヤホン並びにヘッドホンは、ユーザーの耳に当接するように近接配置される、又は、外耳道内に挿入されるスピーカーユニットに音声信号を印加することにより音を再生する。イヤホンまたはヘッドホンの中には、様々な形態のものがある。
【０００３】
例えば、イヤホンの中には、ヘッドホンのように比較的に大きなスピーカーユニットを備えて、耳介に本体を載せるように装着する耳掛部を備えるものがある。また、本体部を耳介の内側に収めるように装着し、本体部の放音面から外耳道に向け音を放出して使用するインナーイヤー型がある。また、本体部を耳介の内側に収めるように装着し、さらに本体部から突出する音筒部をそれに装着されたイヤピースと共に外耳道内に挿入して使用するカナル型と称されるタイプのイヤホンが普及している。
【０００４】
また、イヤホン並びにヘッドホンでは、ハウジング内に収容された電気音響変換器であるスピーカーユニットに音声信号を供給する接続コードが、着脱自在に構成されるものがある。イヤホンまたはヘッドホンのコードは、ユーザーの動きに対応した上でコードが何か不測の対象物に引っかかったりする結果、引っ張られて強い力が加わる場合にも断線を防止する必要がある場合があるので、コードの一端側にプラグを設け、ハウジング側にプラグが接続するジャックを設けるといった挿抜可能なコード接続端子構造を設ける場合がある。
【０００５】
なお、イヤホンまたはヘッドホンでは、小型のプラグ／ジャックを設けることが必要になる場合には、ＭＭＣＸ端子と呼称される小型の同軸端子が使用される場合がある。ただし、挿抜可能なＭＭＣＸ端子を採用するイヤホンまたはヘッドホンでは、同軸端子であるが故にプラグ／ジャックの結合部分が回転してしまい、ハウジングとコードの位置関係を固定できず、接続時の使い勝手が悪くて不都合が生じるという問題がある。例えば、イヤホンを装着後にユーザーの動きに起因してコードが動くと、プラグ／ジャックの結合部分が回転するので、場合によってはハウジングからコードが脱落する、あるいは、装着した耳からイヤホンが脱落する、といった問題を生じる場合がある（特許文献１）。
【０００６】
特に、ＭＭＣＸ端子のプラグ／ジャックは、端子同士が係合する力が比較的に弱いので、頻繁にジャックからプラグが抜けてしまう状態になりやすく、ユーザーは強い力を掛けてコードのプラグをハウジングに設けられるジャックに押しつけるような使い方が繰り返されるようになってしまうことがある。その結果、イヤホンまたはヘッドホンのＭＭＣＸ端子のジャックは、ハウジングの内部側に押し込まれるように破壊されてしまう場合があるという問題がある。
【０００７】
【特許文献１】特開２０１８−３７７５３号公報
【発明の概要】
【発明が解決しようとする課題】
【０００８】
本発明は、上記の従来技術が有する問題を解決するためになされたものであり、その目的は、ジャックとプラグとの挿抜によりコード接続が可能なイヤホンまたはヘッドホンに関し、ユーザーが比較的に強い力を掛けてコードのプラグを押しつけても、ジャックがハウジングの内部側に押し込まれてしまわないようにするイヤホンまたはヘッドホンを提供することにある。
【課題を解決するための手段】
【０００９】
本発明のイヤホンまたはヘッドホンは、スピーカーユニットに音声信号を供給するコードのプラグを挿抜可能に接続するジャックが取り付けられたハウジングを備え、ハウジングが、ジャックをハウジングの所定位置に取り付けるホルダー部材と、ハウジングの内部空間に配置され、ハウジングの内壁部とジャックとに当接してジャックおよびホルダー部材を所定位置からハウジングの内部側へ動かないように固定するストッパー部材と、を備える。
【００１０】
好ましくは、本発明のイヤホンまたはヘッドホンは、ホルダー部材が、ジャックを挿入して固定する貫通孔を規定し、ジャックが、ホルダー部材の貫通孔の縁部にハウジングの内部空間の側から係止するジャックフランジ部を有し、ストッパー部材が、ハウジングの内壁部に当接する第１当接部と、ジャックフランジ部に当接する第２当接部と、を少なくとも有する。
【００１１】
また、好ましくは、本発明のイヤホンまたはヘッドホンは、ホルダー部材が、ハウジングの所定位置に設けられる貫通孔の縁部に内部空間側から係止するホルダーフランジ部をさらに有し、ストッパー部材が、ホルダーフランジ部に当接する第３当接部をさらに有する。
【００１２】
また、好ましくは、本発明のイヤホンまたはヘッドホンは、ストッパー部材が、少なくとも第１当接部と第２当接部と第３当接部とに囲まれるように規定される領域内に、ジャックから突出する端子、および、端子並びにスピーカーユニットに接続するコード部材を配置する空間を規定する筐体を有する。
【００１３】
また、好ましくは、本発明のイヤホンまたはヘッドホンは、ハウジングが、所定位置に設けられる貫通孔とは直交する方向からストッパー部材を挿入可能な開口を有し、開口を塞ぐようにスピーカーユニットが取り付けられている。
【００１４】
また、好ましくは、本発明のイヤホンまたはヘッドホンは、少なくともその一端側にプラグが取り付けられたコードをさらに備える。  
【００１５】
以下、本発明の作用について説明する。
【００１６】
本発明のイヤホンまたはヘッドホンは、スピーカーユニットに音声信号を供給するコードのプラグを挿抜可能に接続するジャックが取り付けられたハウジングを備える。イヤホンまたはヘッドホンは、少なくともその一端側にプラグが取り付けられたコードをさらに備えるようにしてもよい。
【００１７】
ハウジングは、ジャックをハウジングの所定位置に取り付けるホルダー部材と、ストッパー部材と、を備える。ストッパー部材は、ハウジングの内部空間に配置され、ハウジングの内壁部とジャックとに当接してジャックおよびホルダー部材を所定位置からハウジングの内部側へ動かないように固定するので、ユーザーが比較的に強い力を掛けてコードのプラグをジャックに対して押しつけても、ジャックがハウジングの内部側に押し込まれてしまわないようにすることができる。
【００１８】
このイヤホンまたはヘッドホンのホルダー部材は、ジャックを挿入して固定する貫通孔を規定し、ジャックが、ホルダー部材の貫通孔の縁部にハウジングの内部空間の側から係止するジャックフランジ部を有する。また、ストッパー部材は、ハウジングの内壁部に当接する第１当接部と、ジャックフランジ部に当接する第２当接部と、を少なくとも有する。また、好ましくは、ホルダー部材は、ハウジングの所定位置に設けられる貫通孔の縁部に内部空間側から係止するホルダーフランジ部をさらに有し、ストッパー部材は、ホルダーフランジ部に当接する第３当接部をさらに有するようにしてもよい。ストッパー部材が、ハウジングの内壁部とジャックのジャックフランジ部とに当接するので、強く押し込もうとする力に対抗することができ、また、ホルダーフランジ部により引き抜く方向の力にも対抗することができる。
【００１９】
ストッパー部材は、少なくとも第１当接部と第２当接部と第３当接部とに囲まれるように規定される領域内に、ジャックから突出する端子、および、端子並びにスピーカーユニットに接続するコード部材を配置する空間を規定する筐体を有するようにするのが好ましい。ストッパー部材の筐体の内側にもジャックから突出する端子、接続するコード部材を配置できるので、ハウジングの内部空間が小さく限られるイヤホンであっても、ジャックおよびホルダー部材をハウジングの所定位置から動かないように固定することができる。
【発明の効果】
【００２０】
本発明のジャックとプラグとの挿抜によりコード接続が可能なイヤホンまたはヘッドホンは、ユーザーが比較的に強い力を掛けてコードのプラグを押しつけても、ジャックがハウジングの内部側に押し込まれてしまわないようにすることができる。
【図面の簡単な説明】
【００２１】
【図１】本発明の好ましい実施形態によるイヤホンについて説明する図である。（実施例１）
【図２】本発明の好ましい実施形態によるイヤホンのハウジングの内部構造について説明する図である。（実施例１）
【図３】本発明の好ましい実施形態によるイヤホンのハウジングの内部構造について説明する図である。（実施例１）
【図４】本発明の好ましい実施形態によるイヤホンのハウジングの内部構造について説明する図である。（実施例１）
【発明を実施するための形態】
【００２２】
以下、本発明の好ましい実施形態によるイヤホンまたはヘッドホンについて説明するが、本発明はこれらの実施形態には限定されない。
【実施例１】
【００２３】
図１は、本発明の好ましい実施形態によるイヤホン１について説明する図である。具体的には、図１（ａ）は、ユーザーの片耳に装着するイヤホン１の斜視図を示し、図１（ｂ）は、コード７を分離した場合を図示している。また、図２〜４は、イヤホン１のハウジング２の内部構造を説明する断面図、斜視図である。なお、本発明の説明に不要な他の構成については、図示及び説明を省略する。
【００２４】
本実施例のイヤホン１は、再生する音波の出口がユーザーの耳介の外耳道孔に挿入されるカナル型のイヤホンであり、コード７の脱着が可能である。イヤホン１は、ユーザーの左右耳にそれぞれ装着する略左右対称形状のイヤホンを備えて、ステレオ再生に対応することができる。以下では、イヤホン１の片方の耳に対応する構成を説明する。もちろん、イヤホン１の形態は、本実施例の場合に限定されない。
【００２５】
イヤホン１は、そのハウジング２に、コード７を介して音声信号を供給することで音を再生する（図示しない）スピーカーユニット３が内部に取り付けられている。スピーカーユニット３は、磁気空隙を有する磁気回路を備え、磁気空隙に挿入されて音声信号が供給されるボイスコイルに連結した振動板を振動させる動電型の電気音響変換器であるか、または、電磁型であるバランスドアーマチュア型の電気音響変換器であればよい。スピーカーユニット３は、供給される音声信号により（図示しない）振動板を機械的に振動させて、音波を放射する。したがって、ハウジング２は、スピーカーユニット３を取り付けるとともに、コード７を介して音声信号を供給できるように構成する。
【００２６】
例えば、本実施例のハウジング２は、ユーザーの耳介の外耳道孔の大きさに相当するような口径のスピーカーユニット３を取り付けることができる。ハウジング２は、ユーザーの外耳道孔側に配置される（図示しない）ノズル部、並びに、スピーカーユニット３の後方側にキャビティを構成するベース部材４と、コード７のプラグ部８のプラグ１２を挿抜可能に接続するジャック１１を含むホルダー部材５と、を含む。
【００２７】
ハウジング２のベース部材４は、ユーザーの耳介の外耳道孔の形状に沿うように形成される一方端側が閉じられて他方端側に開口を有するような略円筒形状の部材である。ベース部材４は、開口４ａの側にスピーカーユニット３が取り付けられるように構成されている。ベース部材４の内部には、略円筒形状の内部空間が規定される。また、ベース部材４の円筒面の下側には、後述するホルダー部材５を固定する貫通孔４ｂが形成されている。ベース部材４は、スピーカーユニット３の磁気回路が存在する後方側に、前方側の音響空間とは分離した音響空間を形成するように構成されていてもよい。
【００２８】
ハウジング２は、スピーカーユニット３を内部に取り付ける（図示しない）スピーカーユニット取付部を備える。ハウジング２は、ユーザーの耳介の外耳道孔に挿入されるように、スピーカーユニット取付部よりも先端側が細く形成される（図示しない）ノズル部を含む。ノズル部は、スピーカーユニット３から放射される音波をユーザーの外耳道に導く音響通路を、その内部側に形成する。ハウジング２のノズル部には、イヤピース６を取り付けるイヤピース取付部が、外周面に形成されている。弾性を有する笠形状のイヤピース６を取り付ければ、イヤピース６が外耳道孔に密着するカナル型のイヤホンを実現できる。イヤピース６により、ユーザーは耳介にイヤホン１を安定して装着することができる。
【００２９】
ホルダー部材５は、後述するジャック１１をハウジング２のベース部材４の所定位置に取り付ける。具体的には、ホルダー部材５は、図示するようなその中央にジャック１１を挿入して固定する貫通孔５ｃを規定する略円筒形状の基体５ｂと、基体５ｂの一端側から外側に広がるようなフランジ部分であるホルダーフランジ部５ａを有している。ベース部材４およびホルダー部材５は、剛性を有する金属材料又は樹脂材料から構成してもよい。ベース部材４に対するホルダー部材５の固定と、ホルダー部材５に対するジャック１１の固定とには、接着剤を用いてもよい。
【００３０】
ホルダー部材５の基体５ｂの一部は、ベース部材４の貫通孔４ｂからジャック１１がプラグ１２に対して接続可能になるように突出する。したがって、ホルダー部材５およびジャック１１には、スピーカーユニット３に音声信号を供給するコード７を接続できる。ホルダー部材５に取り付けられるジャック１１は、コード７のプラグ１２を挿抜可能に接続する。ジャック１１は、その端子に接続される（図示しない）内部配線によりスピーカーユニット３に接続し、コード７を介して入力される音声信号をスピーカーユニット３に供給する。
【００３１】
また、コード７は、ホルダー部材５のジャック１１に接続するプラグ１２を略円筒状のプラグ部８の先端部分に備える。コード７は、音声信号を伝送するコード部材９がその一端側に設けられるプラグ１２に接続している。なお、コード７のコード部材９の他端側には、他のオーディオ機器等の音声信号の出力端子に接続する（図示しない）プラグを備えていればよい。
【００３２】
本実施例のジャック１１およびプラグ１２は、ＭＭＣＸ端子と呼称される小型の同軸端子の構造であるので、イヤホン１は、図示するようにハウジング２のホルダー部材５と、コード７のプラグ部８とを容易に接続／分離することができる。つまり、コード７のプラグ１２と、ホルダー部材５のジャック１１が挿抜可能に接続する構成になっている。
【００３３】
ＭＭＣＸ端子のジャック１１は、ハウジング２の内部側に突出する正負の端子を有する。具体的には、ジャック１１は、フランジ状に外側に突出する負の端子部分であって、ホルダー部材５の貫通孔５ｃの縁部にハウジング２（つまりベース部材４）の内部空間の側から係止するジャックフランジ部１１ａと、同心円の中心側で突出する正の端子１１ｂと、を有する。なお、コード７のプラグ１２も、ジャック１１に対応する正負端子を有している。
【００３４】
図３および図４において、ジャック１１は、図示する上側からホルダー部材５の貫通孔５ｃに挿入されるので、貫通孔５ｃの縁部にジャックフランジ部１１ａが内部空間の側から係止することになる。同様に、ホルダー部材５は、図示する上側であってベース部材４の内部空間側から設けられている貫通孔４ｂに、側面方向である開口４ａから差し入れて落とし込むように挿入されるので、貫通孔４ｂの縁部にホルダーフランジ部５ａが内部空間の側から係止することになる。
【００３５】
ただし、ＭＭＣＸ端子は、接続時にジャック１１とプラグ１２とが相対的に回動可能な構造である。ＭＭＣＸ端子のホルダー部材５およびプラグ部８は、接続しても相対的に回動することになる。つまり、ホルダー部材５とプラグ部８とを接続しても、ハウジング２に対するコード７の回動は固定できないことになる。また、ＭＭＣＸ端子は、プラグ１２とジャック１１とが係合する力が比較的に弱いので、ＭＭＣＸ端子のみでは頻繁にジャックからプラグが抜けてしまう状態になりやすい。そこで、ユーザーが強い力を掛けてコード７のプラグ１２をハウジング２に設けられるジャック１１に押しつけるような使い方が繰り返されるようになってしまうと、ジャック１１がハウジング２の内部側に押し込まれてしまうという不具合が生じるおそれがある。
【００３６】
そこで、本実施例のイヤホン１は、ハウジング２の内部空間に配置されて、ジャック１１およびホルダー部材５を所定位置から内部側へ動かないように固定するストッパー部材２０を備える。具体的には、ストッパー部材２０は、ベース部材４およびホルダー部材５（およびジャック１１）の形状に対応した複数の当接部を含む略「コ」の字状の形状を有する図示するような基体を有する。ストッパー部材２０は、ジャック１１およびホルダー部材５を上記の様に所定位置に配置して、その後に略円形の開口である開口４ａの側から挿入される。
【００３７】
ストッパー部材２０は、ハウジング２のベース部材４の略円筒面の内壁部の所定位置４ｃに２カ所で当接する第１当接部２１と、ジャック１１に当接する第２当接部２２と、をその略「コ」の字状の形状を有する基体に少なくとも備えている。本実施例の場合には、ストッパー部材２０にはさらに、ホルダーフランジ部５ａに当接する第３当接部２３をその基体に備えている。ストッパー部材２０は、剛性を有する金属材料又は樹脂材料から構成するのが好ましい。
【００３８】
第１当接部２１は、ジャック１１およびホルダー部材５が接続されたプラグ部８により内部側へ押し込まれる場合に、ストッパー部材２０が押し当てられるベース部材４の略円筒面の内壁部に対応して設けられている。一方で、第２当接部２２は、ジャック１１およびホルダー部材５が接続されたプラグ部８により内部側へ押し込まれる場合に、押し当てられるジャックフランジ部１１ａの平面に対応して設けられている。また、第３当接部２３は、ジャック１１およびホルダー部材５が接続されたプラグ部８により内部側へ押し込まれる場合に、押し当てられるホルダーフランジ部５ａの平面に対応して設けられている。
【００３９】
ストッパー部材２０は、ベース部材４の内部空間の形状・寸法と、ジャック１１およびホルダー部材５の形状・寸法に対応した形状・寸法になっているので、ストッパー部材２０を挿入すると隙間が無くなり、ジャック１１およびホルダー部材５が内部側へ押し込まれる場合に、ジャック１１およびホルダー部材５を所定位置からハウジング２の内部側へ動かないように固定することができる。ベース部材４に対するストッパー部材２０の固定には、接着剤を用いてもよい。
【００４０】
また、ホルダー部材５は、ベース部材４の所定位置に設けられる貫通孔４ｂの縁部に内部空間側から係止するホルダーフランジ部５ａをさらに有し、ストッパー部材２０は、ホルダーフランジ部５ａに当接する第３当接部２３をさらに有するので、強く押し込もうとする力に対抗するだけでなく、ジャック１１およびホルダー部材５を引き抜こうとする反対方向の力にも対抗することができる。
【００４１】
また、図示するように本実施例のストッパー部材２０は、その略「コ」の字状の断面を有する基体の内部側に、ジャック１１から突出する端子１１ｂ、および、この端子並びにスピーカーユニット３に接続する（図示しない）コード部材を配置する空間２４を規定している。つまり、ストッパー部材２０は、第１当接部２１と第２当接部２２と第３当接部２３とに囲まれるように規定される領域内に、空間２４を規定している。この様にすることで、ハウジング２の内部空間が小さく限られる小型のイヤホン１であっても、挿抜によりコード７を接続することが可能なイヤホンとすることができる。
【００４２】
なお、ストッパー部材２０の形状は、本実施例のような略「コ」の字状の断面を有する形状に限定されない。例えば、ストッパー部材２０の形状は、ベース部材４の略円筒形状の内部空間に対応した円筒面を有する形状であってもよく、また、内部に空間を規定しない中身が詰まった塊状の部材であってもよい。ストッパー部材２０の形状は、ベース部材４の開口４ａから差し入れることができる形状であれば、ジャック１１およびホルダー部材５の形状・寸法に対応した形状・寸法になっていて、必要な第１当接部２１と第２当接部２２と第３当接部２３とを備えていればよい。
【００４３】
また、本実施例のイヤホン１において、コード７のプラグ部８と、ハウジング２を構成するベース部材４およびホルダー部材５と、の構成は、比較的に大きなスピーカーユニットを備えるヘッドホンにおいても採用可能である。つまり、ヘッドホンにおいても、コードの一端側にプラグを設け、ハウジング側にプラグが接続するジャックを設けるといった挿抜可能なコード接続端子構造を採用する場合には、上記の様なストッパー部材２０を設けて、ジャック１１がハウジング２の内部側に押し込まれてしまわないようにすることができる。
【００４４】
もちろん、イヤホン１のハウジング２に対して脱着可能なコード７に採用されるジャック１１およびプラグ１２は、上述様なＭＭＣＸ端子に限らず、ミニプラグとそれに対応するジャックでもよく、他の同軸端子を含む接続端子構造を採用しうる。
【産業上の利用可能性】
【００４５】
本発明のイヤホンは、図示するようなカナル型のイヤホンに限らず、さらに別の耳掛け部を備えるイヤホンであってもよい。また、イヤホンに限らず、ヘッドバンドにより左右両耳に対応するイヤホンを連結して、オーバーヘッドタイプのイヤホンを構成してもよい。また、イヤホンに限らずコードの脱着が可能なヘッドホンにも適用が可能である。また、本発明のヘッドホン並びにイヤホンは、家庭用のステレオ再生、もしくはマルチチャンネルサラウンド再生に限られず、車載用のオーディオ機器や、映画館等の音響再生設備にも適用が可能である。
【符号の説明】
【００４６】
１            イヤホン
２            ハウジング
３            スピーカーユニット
４            ベース部材
５            ホルダー部材  
６            イヤピース
７            コード
８            プラグ部
９            コード部材
１１          ジャック
１２          プラグ
２０          ストッパー部材
【図１】
2019205046.tif 000003
【図２】
2019205046.tif 000004
【図３】
2019205046.tif 000005
【図４】
2019205046.tif 000006